(57)【要約】【課題】大便器への取付強度を確保すること。【解決手段】実施形態に係る衛生洗浄装置は、ベースプレートと、本体部とを備える。ベースプレートは、大便器の上面に形成された一対の貫通孔に対応する一対の取付孔を有し、一対の取付孔に取り付けられた締結部材を一対の貫通孔に挿通させることにより、大便器の上面に取り付けられる。本体部は、洗浄ノズルを含む機能部品を内蔵し、ベースプレートを介して大便器に取り付けられる。また、ベースプレートは、一対の取付孔よりも内側にのみ、本体部との取付部が形成される。【選択図】図５
2018028200.tif 000002
【特許請求の範囲】
【請求項１】
大便器の上面に形成された一対の貫通孔に対応する一対の取付孔を有し、前記一対の取付孔に取り付けられた締結部材を前記一対の貫通孔に挿通させることにより、前記大便器の上面に取り付けられるベースプレートと、
洗浄ノズルを含む機能部品を内蔵し、前記ベースプレートを介して前記大便器に取り付けられる本体部と
を備え、
前記ベースプレートは、
前記一対の取付孔よりも内側にのみ、前記本体部との取付部が形成されること
を特徴とする衛生洗浄装置。
【請求項２】
前記本体部は、
前記ベースプレートに対してスライドさせることにより、前記ベースプレートの前記取付部に取り付けられ、
前記取付部は、
前記本体部の取付方向に沿って延在し、前記取付方向手前側および上方に開口する一対の条溝と、
前記一対の条溝の側面に凹設され、前記取付方向手前側および前記条溝側に開口し、上方が塞がれた一対の第１係合凹部と
を備えることを特徴とする請求項１に記載の衛生洗浄装置。
【請求項３】
前記取付部は、
前記一対の条溝の側面に凸設された圧入凸部
を備え、
前記条溝の左右両側面のうち、前記ベースプレートの中心側の側面に前記第１係合凹部が形成され、外側の側面に前記圧入凸部が形成されること
を特徴とする請求項２に記載の衛生洗浄装置。
【請求項４】
前記取付部は、
前記一対の条溝の前記取付方向奥側の面に凹設され、前記取付方向手前側に開口し、上方が塞がれた一対の第２係合凹部
を備えることを特徴とする請求項２または３に記載の衛生洗浄装置。
【請求項５】
前記一対の条溝よりも内側に形成され、前記取付方向手前側に開口し、上方が塞がれた第３係合凹部
を備え、
前記一対の第２係合凹部は、
前記ベースプレートの中心よりも前記取付方向奥側に形成され、
前記第３係合凹部は、
前記ベースプレートの中心よりも前記取付方向手前側に形成されること
を特徴とする請求項４に記載の衛生洗浄装置。
【請求項６】
前記取付部は、
前記一対の条溝よりも内側に形成された一対の鉤溝
を備え、
前記第３係合凹部は、
前記一対の鉤溝のうち一方の前記鉤溝における前記取付方向奥側の面に凹設されること
を特徴とする請求項５に記載の衛生洗浄装置。
【請求項７】
前記ベースプレートは、
一対のボルトと、
中心からずれた位置に前記ボルトの挿通孔を有し、前記取付孔に取り付けられることによって前記ボルトを前記取付孔に位置決めする一対の位置決め板と
を備え、
前記一対の取付孔は、
前記位置決め板を前記取付孔に対して第１の向きで取り付けた場合および前記第１の向きから１８０°回転させた第２の向きで取り付けた場合のいずれの場合にも前記挿通孔と連通する幅を有すること
を特徴とする請求項１〜６のいずれか一つに記載の衛生洗浄装置。
【発明の詳細な説明】
【技術分野】
【０００１】
開示の実施形態は、衛生洗浄装置に関する。
【背景技術】
【０００２】
近年、トイレ空間の意匠性を高めるために、衛生洗浄装置に接続される給水ホースや給電コードを隠蔽することが提案されている。
【０００３】
具体的には、大便器の上面に貫通孔を設け、かかる貫通孔に給水ホースや給電コードを通して大便器の背面側から取り出すようにすることで、給水ホースや給電コードを外部から見えないようにすることが提案されている。大便器の上面には、衛生洗浄装置を取り付けるための一対の貫通孔（以下、第１貫通孔と記載する）が形成されており、給水ホースや給電コードを通すための貫通孔（以下、第２貫通孔と記載する）は、一対の第１貫通孔よりも外側に形成される。
【０００４】
ここで、特許文献１には、第２貫通孔が設けられた大便器に対して衛生洗浄装置の本体部を固定するためのベースプレートの構成が開示されている。具体的には、特許文献１に記載のベースプレートは、大便器の一対の第１貫通孔に対応する位置に、ベースプレートを大便器に固定するための一対の取付孔を有する。また、特許文献１に記載のベースプレートは、大便器の第２貫通孔に対応する位置に、給水ホースや給電コードを挿通するための挿通孔を有する。
【０００５】
また、特許文献１に記載のベースプレートは、衛生洗浄装置の本体部をベースプレートに取り付けるための取付部を有する。具体的には、特許文献１に記載のベースプレートは、本体部の下部に設けられたフックと嵌合する鉤溝や、本体部の下部に設けられた突条を案内する条溝を有する。これらの取付部は、挿通孔と同様に一対の取付孔よりも外側に形成される。
【先行技術文献】
【特許文献】
【０００６】
【特許文献１】特開２０１６−５０４６８号公報
【発明の概要】
【発明が解決しようとする課題】
【０００７】
しかしながら、上述した従来技術に記載のベースプレートは、本体部を取り付けるための取付部が、給水ホースや給電コードを挿通するために開口された挿通孔の近傍に配置されるため、取付強度を確保するという点で更なる改善の余地がある。
【０００８】
開示の実施形態は、大便器への取付強度を確保することができる衛生洗浄装置を提供することを目的とする。
【課題を解決するための手段】
【０００９】
実施形態の一態様に係る衛生洗浄装置は、大便器の上面に形成された一対の貫通孔に対応する一対の取付孔を有し、前記一対の取付孔に設けられた締結部材を前記一対の貫通孔に挿通させることにより、前記大便器の上面に取り付けられるベースプレートと、洗浄ノズルを含む機能部品を内蔵し、前記ベースプレートを介して前記大便器に取り付けられる本体部とを備え、前記ベースプレートは、前記一対の取付孔よりも内側にのみ、前記本体部との取付部が形成されることを特徴とする。
【００１０】
一対の取付孔よりも内側にのみ取付部が形成されるため、一対の取付孔よりも外側において、給水ホースや給電コードを挿通するために開口された挿通孔に近接して取付部が配置される従来のベースプレートと比較して、大便器への取付強度を確保することができる。また、一対の取付孔よりも内側に取付部を集約することで、ベースプレートを従来品と比較してコンパクトに形成することができる。したがって、大便器の一対の貫通孔よりも外側に、給水ホースや給電コードを通すための貫通孔が設けられている場合に、かかる貫通孔を塞ぐことなく、給水ホースや給電コードをかかる貫通孔に通して隠蔽することが可能である。
【００１１】
また、前記本体部は、前記ベースプレートに対してスライドさせることにより、前記ベースプレートの前記取付部に取り付けられ、前記取付部は、前記本体部の取付方向に沿って延在し、前記取付方向手前側および上方に開口する一対の条溝と、前記一対の条溝の側面に凹設され、前記取付方向手前側および前記条溝側に開口し、上方が塞がれた一対の第１係合凹部とを備えることを特徴とする。
【００１２】
一対の条溝が本体部の左右方向の位置ずれを防止し、第１係合凹部が本体部の上方への抜けを防止することで、本体部を適切に固定しておくことができる。
【００１３】
また、前記取付部は、前記一対の条溝の側面に凸設された圧入凸部を備え、前記条溝の左右両側面のうち、前記ベースプレートの中心側の側面に前記第１係合凹部が形成され、外側の側面に前記圧入凸部が形成されることを特徴とする。
【００１４】
圧入凸部によって本体部のがたつきを抑えることが可能である。また、第１係合凹部と圧入凸部の配置を逆にした場合と比較して、取付部をコンパクトに形成することができるため、一対の取付部よりも内側の領域内に取付部を適切に集約することができる。
【００１５】
また、前記取付部は、前記一対の条溝の前記取付方向奥側の面に凹設され、前記取付方向手前側に開口し、上方が塞がれた一対の第２係合凹部を備えることを特徴とする。
【００１６】
一対の第２係合凹部が本体部の上方への抜けを防止することで、本体部をより適切に固定しておくことができる。
【００１７】
また、前記一対の条溝よりも内側に形成され、前記取付方向手前側に開口し、上方が塞がれた第３係合凹部を備え、前記一対の第２係合凹部は、前記ベースプレートの中心よりも前記取付方向奥側に形成され、前記第３係合凹部は、前記ベースプレートの中心よりも前記取付方向手前側に形成されることを特徴とする。
【００１８】
本体部に対して取付方向奥側から上向きの力が加えられた場合には、主に一対の第２係合凹部が力を受け、本体部に対して取付方向手前側から上向きの力が加えられた場合には、主に第３係合凹部が力を受けることとなる。したがって、本体部に対して取付方向奥側および手前側のいずれの側から力が加えられた場合にも、本体部を適切に固定しておくことができる。
【００１９】
また、前記取付部は、前記一対の条溝よりも内側に形成された一対の鉤溝を備え、前記第３係合凹部は、前記一対の鉤溝のうち一方の前記鉤溝における前記取付方向奥側の面に凹設されることを特徴とする。
【００２０】
取付方向手前側に鉤溝を配置し、奥側に第３係合凹部を配置するようにすることで、取付部をよりコンパクトに形成することができる。したがって、一対の取付部よりも内側の領域内に取付部を適切に集約することができる。
【００２１】
また、前記ベースプレートは、一対のボルトと、中心からずれた位置に前記ボルトの挿通孔を有し、前記取付孔に取り付けられることによって前記ボルトを前記取付孔に位置決めする一対の位置決め板とを備え、前記一対の取付孔は、前記位置決め板を前記取付孔に対して第１の向きで取り付けた場合および前記第１の向きから１８０°回転させた第２の向きで取り付けた場合のいずれの場合にも前記挿通孔と連通する幅を有することを特徴とする。
【００２２】
これにより、一対の貫通孔のピッチが異なる２種類の大便器に対してベースプレートを取り付けることが可能となるため、汎用性の高い衛生洗浄装置を提供することができる。
【発明の効果】
【００２３】
実施形態の一態様によれば、大便器への取付強度を確保することができる衛生洗浄装置を提供することができる。
【図面の簡単な説明】
【００２４】
【図１】図１は、実施形態にかかる衛生洗浄装置が設置されたトイレ空間を示す模式斜視図である。
【図２Ａ】図２Ａは、衛生洗浄装置の取り付け手順を示す模式斜視図である。
【図２Ｂ】図２Ｂは、衛生洗浄装置の取り付け手順を示す模式斜視図である。
【図３】図３は、衛生洗浄装置の本体部の模式分解斜視図である。
【図４】図４は、ベースプレートの模式分解斜視図である。
【図５】図５は、プレート本体の模式平面図である。
【図６】図６は、ベースプレートを大便器に取り付けた状態を示す模式平面図である。
【図７】図７は、本体部が備える被取付部の構成を示す模式底面図である。
【図８】図８は、本体部が備える被取付部の構成を示す模式斜視図である。
【図９】図９は、位置決め板の構成を示す模式平面図である。
【図１０Ａ】図１０Ａは、位置決め板が取付孔に対して第１の向きで取り付けられたベースプレートの模式平面図である。
【図１０Ｂ】図１０Ｂは、位置決め板が取付孔に対して第２の向きで取り付けられたベースプレートの模式平面図である。
【図１１Ａ】図１１Ａは、一対の取付孔の構成を示す模式平面図である。
【図１１Ｂ】図１１Ｂは、一対の取付孔の構成を示す模式平面図である。
【図１１Ｃ】図１１Ｃは、一対の取付孔の構成を示す模式平面図である。
【図１２】図１２は、変形例に係るベースプレートの構成を示す模式平面図である。
【発明を実施するための形態】
【００２５】
以下、添付図面を参照して、本願の開示する衛生洗浄装置の実施形態を詳細に説明する。なお、以下に示す実施形態によりこの発明が限定されるものではない。
【００２６】
＜１．衛生洗浄装置の全体構成＞
まず、衛生洗浄装置の全体構成について図１〜図３を参照して説明する。図１は、実施形態にかかる衛生洗浄装置が設置されたトイレ空間を示す模式斜視図である。図２Ａおよび図２Ｂは、衛生洗浄装置の取り付け手順を示す模式斜視図である。図３は、衛生洗浄装置の本体部の模式分解斜視図である。
【００２７】
なお、本明細書においては、鉛直上向き方向を「上方」、鉛直下向き方向を「下方」と記載する。また、大便器５に正対した使用者からみて大便器５の手前側を「前方」、奥側を「後方」、右側を「右側方」、左側を「左側方」と記載する。
【００２８】
図１に示すように、衛生洗浄装置１は、トイレ空間１００に配置された大便器５の上部に設けられる。大便器５は、洋式の水洗大便器であり、衛生洗浄装置１よりも後方にはタンク６が設けられる。
【００２９】
図２Ａに示すように、大便器５の上面５２には、ボウル部５１よりも後方側に、一対の第１貫通孔５３，５３と、第２貫通孔５４とが形成される。
【００３０】
一対の第１貫通孔５３，５３は、衛生洗浄装置１を取り付けるための貫通孔であり、大便器５の左右方向に沿って並べて配置される。
【００３１】
第２貫通孔５４は、衛生洗浄装置１に接続される給水ホース２３２および給電コード２３３を通すための貫通孔であり、一対の第１貫通孔５３，５３よりも外側に配置される。具体的には、第２貫通孔５４は、一対の第１貫通孔５３，５３のうち、例えば左側方の第１貫通孔５３の左側方に当該第１貫通孔５３に近接して配置される。第２貫通孔５４は、一対の第１貫通孔５３よりも大径である。
【００３２】
衛生洗浄装置１は、本体部２と、ベースプレート３とを備える。図３に示すように、本体部２は、便蓋２１と、便座２２と、機能部２３とを備える。便蓋２１および便座２２は、機能部２３に対して開閉自在に軸支される。便座２２は、使用者の臀部を暖めるための図示しない加熱部を内蔵する。
【００３３】
機能部２３は、各種の機能部品を内蔵する。例えば、機能部２３は、機能部品として洗浄ノズル２３１を内蔵する。洗浄ノズル２３１は、機能部２３の内部からボウル部５１へ向けて進出して使用者の局部に水を吐出することにより、使用者の局部を洗浄する。
【００３４】
なお、機能部２３は、洗浄ノズル２３１以外の機能部品として、例えば、ボウル部５１内の空気を吸い込み、フィルタや触媒などを介して臭気成分を低減させる脱臭機能部や、使用者の臀部等に向けて温風を吹き付ける温風乾燥機能部等を内蔵していてもよい。
【００３５】
機能部２３には、例えば洗浄ノズル２３１で使用される水を衛生洗浄装置１へ供給するための給水ホース２３２と、機能部２３に内蔵される各種の機能部品や便座２２に内蔵される図示しない加熱部への給電を行うための給電コード２３３とが接続される。給水ホース２３２および給電コード２３３は、例えば、機能部２３の左側方に配置される。
【００３６】
図２Ａおよび図２Ｂに示すように、ベースプレート３は、ベースプレート３を大便器５に取り付けるための一対の取付孔３１，３１と、本体部２をベースプレート３に取り付けるための取付部３２とを有する。一対の取付孔３１，３１は、大便器５の上面５２に形成された一対の第１貫通孔５３，５３に対応する位置に形成され、取付部３２は、かかる第１貫通孔５３，５３よりも内側に形成される。
【００３７】
衛生洗浄装置１を大便器５に取り付ける場合には、まず、大便器５の上面５２にベースプレート３を取り付ける。具体的には、ベースプレート３の一対の取付孔３１，３１に取り付けられたボルト４１，４１等の締結部材を第１貫通孔５３，５３に挿通し、ボルト４１，４１をドライバー等で回し込むことで、ベースプレート３を大便器５に締結固定する。ベースプレート３は、長手方向を左右方向に向けた状態で、大便器５の上面５２に取り付けられる。
【００３８】
つづいて、本体部２に接続された給水ホース２３２および給電コード２３３を大便器５の第２貫通孔５４に通して大便器５の後方側から取り出す。これにより、給水ホース２３２および給電コード２３３が外部から見えにくくなるため、トイレ空間の意匠性を高めることができる。給水ホース２３２および給電コード２３３は、それぞれ給水源および電源に接続される。
【００３９】
つづいて、ベースプレート３に本体部２を取り付ける。具体的には、本体部２の下面には、ベースプレート３の取付部３２と係合する図示しない被取付部が形成されている。そして、本体部２をベースプレート３の前方側から後方側へ向けて水平にスライドさせることで、本体部２の被取付部がベースプレート３の取付部３２と係合して、本体部２がベースプレート３に取り付けられた状態となる。
【００４０】
このように、衛生洗浄装置１の本体部２は、大便器５の上面５２に取り付けられたベースプレート３を介して大便器５に取り付けられる。
【００４１】
＜２．ベースプレートの構成＞
次に、実施形態に係るベースプレート３の構成について図４を参照して説明する。図４は、ベースプレート３の模式分解斜視図である。
【００４２】
図４に示すように、実施形態に係るベースプレート３は、長板形状のプレート本体３０と、一対のボルト４１，４１と、一対の位置決め板４２，４２と、一対の第１ナット４３，４３と、一対のブッシュ４４，４４と、一対の第２ナット４５，４５とを備える。
【００４３】
プレート本体３０は、上述した一対の取付孔３１，３１と、取付部３２とを有する。プレート本体３０は、例えば樹脂で形成される。プレート本体３０の具体的な構成については後述する。
【００４４】
ボルト４１は、プレート本体３０を大便器５に固定するための締結部材である。ボルト４１は、プレート本体３０の上方から位置決め板４２を介して取付孔３１に挿通される。
【００４５】
位置決め板４２は、左右方向を長手とする長板形状を有し、ボルト４１が挿通される挿通孔４２１と、プレート本体３０に形成された溝３１１と係合する多数の溝４２２とを有する。溝４２２は、位置決め板４２の下面に形成され、左右方向に沿って延在する。挿通孔４２１は、位置決め板４２の中心からずれた位置に形成されるが、かかる点については後述する。なお、位置決め板４２は、例えば樹脂で形成される。
【００４６】
第１ナット４３，４３、ブッシュ４４，４４および第２ナット４５，４５は、プレート本体３０を大便器５に固定するための締結部材であり、取付孔３１に挿通されたボルト４１，４１に対してプレート本体３０の下方から取り付けられる。第１ナット４３、ブッシュ４４および第２ナット４５は、例えばゴムで形成される。
【００４７】
一対の取付孔３１，３１に取り付けられたボルト４１，４１、第１ナット４３，４３、ブッシュ４４，４４および第２ナット４５，４５を大便器５の一対の第１貫通孔５３，５３に挿通し、ドライバー等を用いてボルト４１，４１を回す。そうすると、第１ナット４３，４３および第２ナット４５，４５がブッシュ４４，４４に押し込まれることでブッシュ４４，４４が第１貫通孔５３，５３内で広がって第１貫通孔５３，５３を塞ぎ、プレート本体３０を固定する。このようにして、ベースプレート３は、大便器５の上面に取り付けられる。
【００４８】
次に、プレート本体３０の具体的な構成について図５および図６を参照して説明する。図５は、プレート本体３０の模式平面図である。また、図６は、ベースプレート３を大便器５に取り付けた状態を示す模式平面図である。
【００４９】
図５に示すように、一対の取付孔３１，３１は、前後方向に沿って延在する長孔であり、プレート本体３０の長手方向両端部に形成される。
【００５０】
一対の取付孔３１，３１の周縁には、プレート本体３０の上面よりも一段低い段差部が形成されており、かかる段差部には、大便器５の左右方向に沿って延在する多数の溝３１１が形成されている。溝３１１は、位置決め板４２の溝４２２と係合する。
【００５１】
図６に示すように、従来のベースプレートには、一対の取付孔よりも外側の領域に、本体との取付部が設けられていた。例えば、従来のベースプレートには、一対の取付孔よりも外側に、本体部の下部に設けられた突条を案内する条溝６０１，６０１や、本体部の下部に設けられたフックと嵌合する鉤溝６０２，６０２が形成されていた。
【００５２】
これに対し、実施形態に係るベースプレート３では、一対の取付孔３１，３１よりも内側にのみ本体部２との取付部３２が形成される。これにより、プレート本体３０の長手方向（大便器５の左右方向）の長さを従来のものよりも短くすることができる。したがって、給水ホース２３２や給電コード２３３を通すための第２貫通孔５４が形成される場合に、かかる第２貫通孔５４を塞ぐことなく、給水ホース２３２や給電コード２３３を第２貫通孔５４に通すことができる。また、挿通孔６０３の近傍に条溝６０１，６０１や鉤溝６０２，６０２といった取付部が形成される従来のベースプレートと比較して、大便器５への取付強度を確保することができる。
【００５３】
図５に戻り、取付部３２の具体的な構成について説明する。図５に示すように、取付部３２は、本体部２の取付方向（すなわち、前後方向）に沿って延在する一対の条溝３２０，３２０と、本体部２の取付方向と直交する方向（すなわち、左右方向）に沿って延在する一対の鉤溝３３０，３３０とを有する。
【００５４】
一対の条溝３２０，３２０および一対の鉤溝３３０，３３０は、プレート本体３０の前方側（すなわち、取付方向手前側）および上方に開口する溝部であり、一対の条溝３２０，３２０よりも内側に一対の鉤溝３３０，３３０が形成される。なお、一対の鉤溝３３０，３３０のうちの一つ（ここでは、左側方側の鉤溝３３０）は、一対の条溝３２０，３２０のうちの一つ（ここでは、左側方側の条溝３２０）と一体的に形成される。これにより、取付部３２をよりコンパクトに形成することができる。
【００５５】
各条溝３２０の側面には、第１係合凹部３２１と、複数の圧入凸部３２２とが形成されている。第１係合凹部３２１は、プレート本体３０の前方側（すなわち、取付方向手前側）および条溝３２０側に開口し、上方が塞がれた凹部である。圧入凸部３２２は、条溝３２０の側面に凸設される。
【００５６】
第１係合凹部３２１は、条溝３２０の前方側（すなわち、取付方向手前側）の端部よりも後方側（すなわち、取付方向奥側）に設けられる。言い換えれば、第１係合凹部３２１よりも前方側には、上方に開口した切り欠き部が形成される。かかる構成とすることにより、切り欠き部を設けない場合と比較して、本体部２のスライド量を少なくすることができるため、本体部２の着脱に要する手間を軽減させることができる。なお、前後方向（すなわち、取付方向）における第１係合凹部３２１の長さｄ１は、本体部２に加えられた力を主に受ける部分が第１係合凹部３２１であることを考慮し、例えば２０ｍｍ以上に設定される。
【００５７】
実施形態に係るベースプレート３では、条溝３２０の左右両側面のうち、ベースプレート３の中心側（すなわち、鉤溝３３０側）の側面に第１係合凹部３２１が設けられ、外側（すなわち、取付孔３１側）の側面に圧入凸部３２２が設けられる。これにより、第１係合凹部３２１と圧入凸部３２２の配置を逆にした場合と比較して、取付部３２をコンパクトに形成することができ、一対の取付孔３１，３１よりも内側の領域内に取付部３２を適切に集約することができる。
【００５８】
また、一対の条溝３２０，３２０の後方側（すなわち、取付方向奥側）の面には、プレート本体３０の前方側（すなわち、取付方向手前側）に向けて開口し、上方が塞がれた第２係合凹部３２３，３２３が凹設される。第２係合凹部３２３，３２３は、プレート本体３０の中心よりもプレート本体３０の後方側（取付方向奥側）に形成される。
【００５９】
また、一対の鉤溝３３０，３３０のうち一方の鉤溝３３０（ここでは、右側方側の鉤溝３３０）の後方側（すなわち、取付方向奥側）の面には、プレート本体３０の前方側に向けて開口し、上方が塞がれた第３係合凹部３３１が凹設される。第３係合凹部３３１は、プレート本体３０の中心よりもプレート本体３０の前方側（取付方向手前側）に形成される。
【００６０】
このように、一対の鉤溝３３０，３３０のうち一方の鉤溝３３０における取付方向奥側の面に第３係合凹部３３１を凹設するようにしたため、第３係合凹部３３１と一対の鉤溝３３０，３３０とを異なる場所に独立して設けた場合と比較して、取付部３２をよりコンパクトに形成することができる。したがって、一対の取付孔３１，３１よりも内側の領域内に取付部３２を適切に集約することができる。
【００６１】
前後方向（すなわち、取付方向）における第２係合凹部３２３および第３係合凹部３３１の長さｄ２，ｄ３は、前後方向（すなわち、取付方向）における第１係合凹部３２１の長さｄ１よりも短く設定される。例えば、第２係合凹部３２３および第３係合凹部３３１の長さｄ２，ｄ３は、２０ｍｍ以下に設定される。このように、本体部２に加えられた力を主に受ける第１係合凹部３２１の長さｄ１を最も長く設定することで取付強度を確保しつつ、第２係合凹部３２３および第３係合凹部３３１の長さｄ２，ｄ３を第１係合凹部３２１よりも短く設定することで、本体部２の着脱の際のストローク量が増加することを抑えることができる。
【００６２】
また、図５に示すように、プレート本体３０の一対の取付孔３１，３１よりも内側には、便蓋２１の開閉を検知する開閉検知センサとしての磁石３３が内蔵される。より具体的には、磁石３３は、一対の条溝３２０，３２０よりも内側に内蔵される。
【００６３】
＜３．本体部２の被取付部の構成＞
次に、本体部２が備える被取付部の構成について図７および図８を参照して説明する。図７は、本体部２が備える被取付部の構成を示す模式底面図であり、図８は、本体部２が備える被取付部の構成を示す模式斜視図である。
【００６４】
図７および図８に示すように、本体部２が備える機能部２３の下部には、被取付部として、一対の第１突条２１０，２１０と、一対のフック部２２０，２２０と、第２突条２３０とが設けられる。
【００６５】
第１突条２１０，２１０、フック部２２０，２２０および第２突条２３０は、それぞれベースプレート３の条溝３２０，３２０、鉤溝３３０，３３０および第３係合凹部３３１に対応して設けられる。具体的には、一対のフック部２２０，２２０は一対の第１突条２１０，２１０よりも内側に設けられ、第２突条２３０は一対のフック部２２０，２２０よりも内側に設けられる。
【００６６】
一対の第１突条２１０，２１０の側面には、側方に突出した第１係合凸部２１１，２１１が形成され、先端部には、先端側へ突出した第２係合凸部２１２，２１２が形成される。また、第２突条２３０の先端部には、先端側へ突出した第３係合凸部２３５が形成される。第１係合凸部２１１，２１１、第２係合凸部２１２，２１２および第３係合凸部２３５は、それぞれ、ベースプレート３の第１係合凹部３２１，３２１、第２係合凹部３２３，３２３および第３係合凹部３３１と係合する。
【００６７】
一対のフック部２２０，２２０は、左右方向に延在する係止レバー２２１に接続されており、係止レバー２２１は、図示しないバネ部材により、常時、右方向に付勢されている。なお、バネ部材による付勢は、図示しない解除ボタンによって解除することができる。
【００６８】
本体部２を大便器５の前方側から後方側へ向けてスライドさせると、フック部２２０，２２０がベースプレート３の鉤溝３３０，３３０に接触し、係止レバー２２１に設けられたバネ部材が縮むことによってフック部２２０，２２０が左右方向に移動して鉤溝３３０，３３０に嵌まり込む。これにより、本体部２の前後方向の位置ずれが防止される。
【００６９】
また、本体部２をスライドさせると、一対の第１突条２１０，２１０が、ベースプレート３の一対の条溝３２０，３２０に嵌まり込む。これにより、本体部２の左右方向の位置ずれが防止される。また、このとき、圧入凸部３２２，３２２により、本体部２のがたつきが防止される。
【００７０】
また、一対の第１突条２１０，２１０が一対の条溝３２０，３２０に嵌まり込むと、第１係合凸部２１１，２１１および第２係合凸部２１２，２１２が、それぞれ第１係合凹部３２１，３２１および第２係合凹部３２３，３２３と上下方向において重なり合う。また、第３係合凸部２３５が第３係合凹部３３１と上下方向において重なり合う。これにより、ベースプレート３の上方への抜けが防止される。
【００７１】
ここで、上述したように、第２係合凹部３２３，３２３は、プレート本体３０の中心よりもプレート本体３０の後方側（取付方向奥側）に設けられ、第３係合凹部３３１は、プレート本体３０の中心よりもプレート本体３０の前方側（取付方向手前側）に設けられる。これにより、本体部２に対してプレート本体３０の後方側から上向きの力が加えられた場合には、主に一対の第２係合凹部３２３，３２３が力を受け、本体部２に対してプレート本体３０の前方側から上向きの力が加えられた場合には、主に第３係合凹部３３１が力を受けることとなる。したがって、本体部２に対してプレート本体３０の後方側および前方側のいずれの側から力が加えられた場合にも、本体部２を適切に固定しておくことができる。
【００７２】
また、図７に示すように、機能部２３は、一対の第１突条２１０，２１０よりも内側に便蓋２１の開閉を検知する開閉検知センサとしてのホールＩＣ２５を備える。このように、本実施形態に係るホールＩＣ２５および磁石３３（図５参照）は、平面視において一対の取付孔３１，３１よりも内側に配置される。したがって、本実施形態に係る衛生洗浄装置１によれば、ホールＩＣや磁石が一対の取付孔よりも外側に配置される従来の衛生洗浄装置と比較して、一対の取付孔３１，３１よりも外側の領域を空きスペースとして有効利用することができる。
【００７３】
＜４．取付孔および位置決め板の構成＞
ところで、一対の第１貫通孔５３，５３間のピッチは規格によって定められており、例えば、第１ピッチ（例えば、１４０ｍｍピッチ）と、第１ピッチよりもピッチが大きい第２ピッチ（例えば、１５５ｍｍピッチ）とが存在する。実施形態に係るベースプレート３は、これら２種類のピッチに対応可能に形成される。かかる点について説明する。
【００７４】
まず、位置決め板４２の構成について図９を参照して説明する。図９は、位置決め板４２の構成を示す模式平面図である。
【００７５】
図９に示すように、位置決め板４２は、左右方向を長手とする矩形状の板状部材である。位置決め板４２の挿通孔４２１は、位置決め板４２の中心から左右方向にずれた位置に形成される。
【００７６】
したがって、位置決め板４２を取付孔３１に対して第１の向き（例えば、三角形のマーク４２３がプレート本体３０の外側に位置する向き）で取り付けた場合と、第１の向きから、位置決め板４２を１８０°回転（水平回転）させた第２の向き（例えば、マーク４２３がプレート本体３０の中心側に位置する向き）で取り付けた場合とで、取付孔３１内における挿通孔４２１の位置を変えることができる。
【００７７】
図１０Ａは、位置決め板４２が取付孔３１に対して第１の向きで取り付けられたベースプレート３の模式平面図である。また、図１０Ｂは、位置決め板４２が取付孔３１に対して第２の向きで取り付けられたベースプレート３の模式平面図である。
【００７８】
図１０Ａに示すように、位置決め板４２を取付孔３１に対して第１の向きで取り付けた場合、各位置決め板４２，４２の挿通孔４２１，４２１の位置は、第１ピッチＰ１で設けられた第１貫通孔５３，５３の位置に対応する。言い換えれば、挿通孔４２１，４２１の間隔は第１ピッチＰ１となる。
【００７９】
一方、図１０Ｂに示すように、位置決め板４２を取付孔３１に対して第２の向きで取り付けた場合、各位置決め板４２，４２の挿通孔４２１，４２１の位置は、第２ピッチＰ２で設けられた第１貫通孔５３，５３の位置に対応する。言い換えれば、挿通孔４２１，４２１の間隔は第２ピッチＰ２となる。
【００８０】
つづいて、一対の取付孔３１，３１の具体的な構成について図１１Ａ〜図１１Ｃを参照して説明する。図１１Ａ〜図１１Ｃは、一対の取付孔３１，３１の構成を示す模式平面図である。なお、図１１Ａ〜図１１Ｃでは、理解を容易にするために、一対の取付孔３１，３１以外の構成を適宜省略して示している。
【００８１】
図１１Ａおよび図１１Ｂに示すように、取付孔３１は、位置決め板４２を取付孔３１に対して第１の向きで取り付けた場合（図１０Ａ参照）および第２の向きで取り付けた場合（図１０Ｂ参照）のいずれの場合にも挿通孔４２１と連通する幅Ｗを有する。
【００８２】
具体的には、図１１Ｃに示すように、取付孔３１の左右方向の幅Ｗは、第１の向きで取り付けられた位置決め板４２の挿通孔４２１（図中、一点鎖線で示した挿通孔４２１）と、第２の向きで取り付けられた位置決め板４２の挿通孔４２１（図中、実線で示した挿通孔４２１）との互いに最も遠い側の周面４２１ａ，４２１ｂ同士の間隔以上に設定される。
【００８３】
また、取付孔３１の左右方向の幅Ｗは、第１ピッチＰ１で設けられた第１貫通孔５３と、第２ピッチＰ２で設けられた第１貫通孔５３との互いに最も遠い側の周面５３ａ，５３ｂ同士の間隔Ｃ未満に設定される（すなわち、Ｗ＜Ｃ）。
【００８４】
このように、実施形態に係るベースプレート３は、一対の第１貫通孔５３，５３の２種類のピッチに対応可能である。すなわち、一対の第１貫通孔５３，５３が第１ピッチＰ１で設けられた大便器５と、一対の第１貫通孔５３，５３が第２ピッチＰ２で設けられた大便器５とでベースプレート３を共用することができる。したがって、汎用性の高い衛生洗浄装置１を提供することができる。
【００８５】
＜５．変形例＞
次に、実施形態に係るベースプレート３の変形例について図１２を参照して説明する。図１２は、変形例に係るベースプレートの構成を示す模式平面図である。なお、以下の説明では、既に説明した部分と同様の部分については、既に説明した部分と同一の符号を付し、重複する説明を省略する。
【００８６】
上述した実施形態では、ベースプレート３が、一対の第１貫通孔５３，５３の２種類のピッチに対応可能な取付孔３１，３１を備える場合の例について説明したが、取付孔の構成は、これに限定されない。例えば、取付孔は、より多種の便器に対応可能に構成されてもよい。
【００８７】
例えば、図１２に示すように、変形例に係るベースプレート３Ａは、プレート本体３０Ａと、一対のボルト４１，４１と、図示しない一対の第１ナット４３，４３と、図示しない一対のブッシュ４４，４４と、図示しない一対の第２ナット４５，４５とを備える。プレート本体３０Ａは、一対の取付孔３１Ａ，３１Ａと、取付部３２とを備える。
【００８８】
取付孔３１Ａは、プレート本体３０Ａの長手方向（一対の取付孔の並び方向）に沿って延在する。プレート本体３０Ａの短手方向における取付孔３１Ａの幅は、ボルト４１のねじ部の径よりも大きく、ボルト４１のねじ頭部の径よりも小さい。
【００８９】
変形例に係るベースプレート３Ａは、上記のように構成されており、ボルト４１を取付孔３１Ａに沿って左右方向に移動させることができる。そして、図示しない第１ナット４３、ブッシュ４４および第２ナット４５により、左右方向における任意の場所でボルト４１を取付孔３１Ａに位置決めすることができる。
【００９０】
したがって、変形例に係るベースプレート３Ａによれば、一対の第１貫通孔のピッチとして上述した第１ピッチＰ１および第２ピッチＰ２以外のピッチを有する大便器に対しても、取付孔３１Ａの幅内であれば取り付けることが可能である。
【００９１】
なお、変形例に係るベースプレート３Ａは、取付孔３１Ａの前方側および後方側にそれぞれ開口を有するが、これらの開口は必ずしも形成されることを要しない。
【００９２】
上述してきたように、実施形態に係る衛生洗浄装置１は、ベースプレート３，３Ａと、本体部２とを備える。ベースプレート３，３Ａは、大便器５の上面５２に形成された一対の第１貫通孔５３，５３（貫通孔の一例）に対応する一対の取付孔３１，３１（３１Ａ，３１Ａ）を有し、一対の取付孔３１，３１（３１Ａ，３１Ａ）に取り付けられたボルト４１，４１、第１ナット４３，４３、ブッシュ４４，４４、第２ナット４５，４５（締結部材の一例）を一対の第１貫通孔５３，５３に挿通させることにより、大便器５に取り付けられる。本体部２は、洗浄ノズル２３１を含む機能部品を内蔵し、ベースプレート３，３Ａを介して大便器５に取り付けられる。また、ベースプレート３，３Ａは、一対の取付孔３１，３１（３１Ａ，３１Ａ）よりも内側にのみ、本体部２との取付部３２が形成される。
【００９３】
したがって、実施形態に係る衛生洗浄装置１によれば、大便器５への取付強度を確保することができる。また、プレート本体３０，３０Ａの長手方向の長さを短くすることができるため、給水ホース２３２や給電コード２３３を通すための第２貫通孔５４を塞ぐことなく、給水ホース２３２や給電コード２３３を第２貫通孔５４に通すことができる。
【００９４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９５】
１  衛生洗浄装置
２  本体部
３  ベースプレート
５  大便器
６  タンク
３１  取付孔
３２  取付部
４２  位置決め板
５３  第１貫通孔
５４  第２貫通孔
１００  トイレ空間
２３２  給水ホース
２３３  給電コード
３２０  条溝
３２１  第１係合凹部
３２２  圧入凸部
３２３  第２係合凹部
３３０  鉤溝
３３１  第３係合凹部
【図１】
2018028200.tif 000003
【図２Ａ】
2018028200.tif 000004
【図２Ｂ】
2018028200.tif 000005
【図３】
2018028200.tif 000006
【図４】
2018028200.tif 000007
【図５】
2018028200.tif 000008
【図６】
2018028200.tif 000009
【図７】
2018028200.tif 000010
【図８】
2018028200.tif 000011
【図９】
2018028200.tif 000012
【図１０Ａ】
2018028200.tif 000013
【図１０Ｂ】
2018028200.tif 000014
【図１１Ａ】
2018028200.tif 000015
【図１１Ｂ】
2018028200.tif 000016
【図１１Ｃ】
2018028200.tif 000017
【図１２】
2018028200.tif 000018